(57)【要約】【課題】            命日、回忌、お盆、お彼岸などを迎えるに当って、参拝管理者を通して菩提寺の僧侶による読経を依頼し、その読経の様子を音声および画像にて檀徒側端末で看取可能にする。【解決手段】        通信網４に接続されて、参拝依頼情報が送信可能な檀徒側端末１ａ〜１ｎと、檀徒側端末１ａ〜１ｎから送信された参拝依頼情報にもとづき、菩提寺および日時を指定して読経依頼を送信する参拝管理サーバ２と、前記日時に行った読経を、参拝管理サーバ２を通して、檀徒側端末１ａ〜１ｎへ送信する菩提寺側端末３と、を備え、前記読経が前記檀徒の墓前または納骨堂で行われる画像とともに、前記檀徒側端末１ａ〜１ｎに送信する。【選択図】          図１
2007102597.tif 000002
【特許請求の範囲】
【請求項１】
通信網に接続されて、参拝依頼情報が送信可能なユーザ側端末と、該ユーザ側端末から送信された参拝依頼情報にもとづき、該参拝依頼情報の内容を、ユーザ側端末に送信する参拝管理サーバと、を備え、
該参拝管理サーバは、ユーザ側端末から送信された参拝依頼情報を、指定された日時に画像または画像と音声でユーザ側端末に送信することを特徴とする参拝サービスシステム。
【請求項２】
前記参拝依頼情報は、参拝管理サーバが用意する参拝部所又はユーザが希望する参拝部所の画像、あるいは、該画像とお経である請求項１記載の参拝サービスシステム。
【請求項３】
前記参拝管理サーバが用意する参拝部所は、墓、納骨堂又参拝堂であり、ユーザが希望する参拝部所は、参拝管理サーバが用意する参拝部所、菩提寺の参拝堂又は菩提寺の墓である請求項２記載の参拝サービスシステム。
【請求項４】
通信網に接続されて、参拝依頼情報が送信可能な檀徒側端末と、
該檀徒側端末から送信された参拝依頼情報にもとづき、菩提寺および日時を指定して読経依頼を送信する参拝管理サーバと、
前記日時に菩提寺にて行われた読経を、前記参拝管理サーバを通して、前記檀徒側端末へ送信する菩提寺側端末と、を備え、
前記読経が前記檀徒の墓前または納骨堂で行われる画像とともに、前記檀徒側端末に送信されることを特徴とする参拝サービスシステム。
【請求項５】
前記檀徒側端末から送信された参拝依頼情報にもとづき、菩提寺および日時を指定して読経依頼を菩提寺に送信し、前記日時に行われる読経を、該読経が檀徒の墓前または納骨堂で行われる画像とともに前記檀徒側端末へ送信することを特徴とする参拝管理サーバ。
【請求項６】
前記檀徒側端末から参拝依頼情報を受信したとき、前記檀徒側端末が予め登録された識別情報を持つ端末であるか否かを判定し、予め登録された識別情報を持つ端末である場合に、前記菩提寺に読経依頼を送信することを特徴とする請求項５に記載の参拝管理サーバ。
【請求項７】
檀徒側端末からの参拝依頼時に菩提寺の指定がない場合には、その檀徒と同一宗派、宗旨の寺を選び、指定された日時とともに参拝依頼を前記寺側端末へ送信し、指定された日時に、寺側端末のデータベースに用意された読経および読経が行われる画像を檀徒側端末へ送信することを特徴とする請求項５に記載の参拝管理サーバ。
【発明の詳細な説明】
【技術分野】
【０００１】
本発明は、通信網を通じて提供される画像により、ユーザ、例えば、檀徒等が居ながらにして墓参を行えるようにする参拝サービスシステムおよび参拝管理サーバに関する。
【背景技術】
【０００２】
一般に、檀徒は、故人や先祖の命日や回忌、或いはお盆やお彼岸に、墓石がある墓地や納骨堂へ足をはこび、参拝する習慣がある。また、墓参では、檀徒は墓石を清め、花を生け、線香を立てて、僧侶にお経を上げてもらう。この場合において、檀徒は、故人の命日等が近づくと、菩提寺に電話などをして、口頭で日時を指定し、読経依頼の予約をする。そして、命日等の指定の日時に、僧侶に檀徒宅に来て、読経をしてもらい、お布施をすることで、この日の法事を終える（例えば、特許文献１参照）。
【０００３】
しかし、檀徒が寺や墓地から離れた地域に居住したり、病院に入院したりすると、なかなか墓参りにも行けないし、檀徒が菩提寺の僧侶に読経をしてもらいたいという要望があっても、時間と費用の点で実現が困難になる場合が多い。また、僧侶にお布施をし、読経の依頼を行っても、通常は、菩提寺の本堂での読経のみであり、檀徒所有の墓前での読経は行われない。また、このような従来の読経依頼は、檀徒が寺に対し電話やファックスをすることによりなされる。
【特許文献１】特開２００４−０７８８７１号公報
【発明の開示】
【発明が解決しようとする課題】
【０００４】
しかしながら、前記のような読経の依頼方法では、墓地から離れた地域に住む檀徒にとっては、僧侶による読経の生の声や情景が得られないため、命日、回忌、お盆、お彼岸を迎えても、檀徒には心の安らぎが得られない。また、遠方でなかなか墓参りにいけなかったり、命日、回忌等の日時を忘れてしまい、仏事が行われないで長期間を経過すると、仏縁が遠のくという不都合があった。
【０００５】
本発明は、前記のような従来の問題を解決するものであり、命日、回忌、お盆、お彼岸などを迎えるに当って、参拝管理者に参拝部所の送信を依頼し、その参拝部所の画像または読経の音声をそえてユーザ端末で看取して手を合わせて参拝することができるようにし、または参拝管理者を通して菩提寺の僧侶による読経を依頼し、その読経の様子を音声および画像にてユーザ側端末としての檀徒側端末で看取して手を合わせて参拝できるようにするとともに、命日、回忌などが近づいたことを報知できる参拝サービスシステムおよび参拝管理サーバを提供することを目的とする。
【課題を解決するための手段】
【０００６】
前記目的達成のために、本発明に係る参拝サービスシステムは、通信網に接続されて、参拝依頼情報が送信可能なユーザ側端末と、該ユーザ側端末から送信された参拝依頼情報にもとづき、該参拝依頼情報の内容を、ユーザ側端末に送信する参拝管理サーバと、を備え、
該参拝管理サーバは、ユーザ側端末から送信された参拝依頼情報を、指定された日時に画像または画像と音声でユーザ側端末に送信することを特徴とする。
前記参拝依頼情報は、参拝管理サーバが用意する参拝部所又はユーザが希望する参拝部所の画像、あるいは該画像とお経を挙げることができ、前記参拝管理サーバが用意する参拝部所として、墓、納骨堂又は参拝堂を挙げることができ、前記ユーザが希望する参拝部所として、菩提寺の参拝堂又は菩提寺の墓を挙げることができる。当然に、ユーザは参拝管理サーバが用意する参拝部所を希望することもできる。
【０００７】
これによりユーザは、わざわざ墓参りに行かなくても指定した日時に、ユーザ側端末にて参拝部所の画像やお経の音声を看取および聴取することができ、ユーザは居ながらにして端末上の画像を見ながら同時に手を合わせて参拝することが可能となる。
【０００８】
また、本発明に係る参拝サービスシステムは、通信網に接続されて、参拝依頼情報が送信可能な檀徒側端末と、該檀徒側端末から送信された参拝依頼情報にもとづき、菩提寺および日時を指定して読経依頼を送信する参拝管理サーバと、前記日時に菩提寺にて行われた読経を、前記参拝管理サーバを通して、前記檀徒側端末へ送信する菩提寺側端末と、を備え、前記読経が前記檀徒の墓前または納骨堂で行われる画像とともに、前記檀徒側端末に送信されることを特徴とする。
【０００９】
この構成により、檀徒が希望する菩提寺および日時に墓前や納骨堂にて読経をしてもらい、この読経の様子を遠隔の地から、音声および画像により檀徒側端末上でそれぞれ聴取および看取することができ、檀徒は檀徒側端末上の画像を見ながら同時に手を合わせて参拝することができる。
【００１０】
また、本発明に係る参拝管理サーバは、檀徒側端末から送信された参拝依頼情報にもとづき、菩提寺および日時を指定して読経依頼を菩提寺に送信し、前記日時に行われる読経を、該読経が檀徒の墓前または納骨堂で行われる画像とともに、前記檀徒側端末へ送信することを特徴とする。
【００１１】
この構成により、参拝管理サーバは、檀徒側の参拝依頼を菩提寺に伝え、参拝依頼による指定の日時に実際に行われる読経およびこの読経の様子や、墓石等の画像などを、前記檀徒側端末に提供することができる。
【００１２】
また、本発明に係る参拝管理サーバは、檀徒側端末から参拝依頼情報を受信したとき、檀徒側端末が予め登録された識別情報を持つ端末であるか否かを判定し、予め登録された識別情報を持つ端末である場合に、前記菩提寺に読経依頼を送信することを特徴とする。
【００１３】
この構成により、参拝管理サーバが運営する会に入会し、会費を収めた檀徒に対してのみ、速やかに菩提寺への参拝依頼および菩提寺からの読経および画像の提供を実施できる。また、檀徒から参拝依頼がなされなくても、故人の命日や回忌が近いことを予め報知するサービスを、檀徒側端末に対して自動的に行うことができる。
【００１４】
また、本発明に係る参拝管理サーバは、前記檀徒側端末からの参拝依頼時に菩提寺の指定がない場合には、その檀徒と同一宗派、宗旨の寺を選び、指定された日時とともに参拝依頼を前記寺側端末へ送信し、指定された日時に、前記寺側端末のデータベースに用意された読経および読経が行われる画像を檀徒側端末へ送信することを特徴とする。
【００１５】
この構成により、菩提寺を指定しない檀徒に対しても、参拝管理サーバが選んだ宗派、宗旨の寺の読経や仏陀等の画像を檀徒側端末へ提供することができる。
【発明の効果】
【００１６】
（１）本発明は、参拝管理サーバが、ユーザ側端末から送信された参拝依頼情報を、指定された日時に画像または画像と音声でユーザ側端末に送信するように構成したので、ユーザは、わざわざ墓参りに行かなくても指定した日時に、ユーザ側端末にて参拝部所の画像やお経の音声を看取および聴取することができ、ユーザは居ながらにして端末上の画像を見ながら同時に手を合わせて参拝することができる。
【００１７】
（２）本発明は、参拝依頼情報を送信する檀徒側端末からの参拝依頼情報にもとづき、参拝管理サーバが菩提寺および日時を指定して菩提寺に読経依頼をし、菩提寺が前記日時に行った読経を、菩提寺側端末から前記檀徒側端末へ送信し、前記檀徒の墓前または納骨堂で行われる読経とともに読経中の画像を、前記檀徒側端末にて視聴可能に構成したので、墓地から離れた地域に住む檀徒にとって、僧侶による読経の生の声や情景が得られ、命日、回忌、お盆、お彼岸を迎えても、檀徒には居ながらにして参拝ができ心の安らぎが得られるという利点がある。
【発明を実施するための最良の形態】
【００１８】
以下、本発明の実施形態を、図面を参照して説明する。
図１は、本発明の実施形態による参拝サービスシステムの概略構成を示すブロック図である。図１において、この参拝サービスシステムは、ユーザ側端末１ａ〜１ｎと、参拝管理サーバ２と、通信網４とを備える。これらの内、ユーザ側端末は各ユーザが有するパソコンなどの端末で、キー操作により参拝管理サーバが運営するホームページにアクセスし、参拝依頼情報を送信可能にするものである。この参拝依頼情報は、ユーザが希望する日時、参拝部所およびお経等の仏事情報であり、参拝部所としては、墓、納骨堂、参拝堂を例示できる。参拝部所は、参拝管理サーバ側で予め用意した納骨堂や参拝堂であってもよい。参拝管理サーバ側で用意した納骨堂や参拝堂の場合は、そこの会員となり、分骨するなどすることが好ましい。分骨された場合は、永代供養料などの納付により永代供養も引き受けることができる。また、分骨される納骨堂のスペースは、入会金等により、例えば、ビップ納骨堂、スペシャル納骨堂、通常納骨堂などに区分してもよい。特に、著名人の入会によりユーザの入会の促進を図ることが好ましい。
参拝管理サーバ側で用意する納骨堂、参拝堂、墓等には、当然にユーザが直接参拝してもよいので、このような場合のため、あるいは分骨されているので納骨堂、参拝堂および墓等の防犯のため、常時、管理者が置かれることが好ましい。
【００１９】
また、参拝管理サーバ２は、ユーザの端末１ａ〜１ｎから送信された参拝依頼情報にもとづき、指定された日時に、墓、納骨堂または参拝堂等の参拝部所を撮影して画像としてユーザ側端末１ａ〜１ｎに送信する。また、この画像と共にオプションとしてお経を供えてもよい。更に、オプションとして墓、納骨堂または参拝堂等には、希望によりお線香およびお花等をあげて、それを含む画像でもよい。このため、参拝管理サーバ２には、参拝部所や読経を収録するためのレコーダやビデオカメラ等の撮影装置３ｂが備えられる。これによりユーザは、送信されてきた画像に向かって参拝することが可能となる。これにより墓地が遠方で墓参りができない者でも、容易に参加し参拝の満足を得ることができる。オプションには、費用を徴収してもよい。
【００２０】
なお、参拝管理サーバ２は、参拝サービスの提供を希望するユーザの募集を、ホームページ上に常時行なっており、ユーザ側からの応募により入会の希望があった場合に、新規会員として登録を認め、銀行振込等の登録手続を待つ。参拝管理サーバ２側で用意する納骨堂や参拝堂に入会する場合も同様である。この登録手続が完了すると、参拝管理サーバ２は、ユーザ側端末１ａ〜１ｎに対しパスワードを発行する。また、パスワードの発行に前後して、ユーザの指名、年齢や菩提寺名、宗派、宗旨、墓地または納骨堂の有無などの情報の提供を受けて、これを自身が持つデータベース２ａに予め登録する。
【００２１】
図２は、ユーザが檀徒の場合の実施形態による参拝サービスシステムの概略構成を示すブロック図である。図２において、この参拝サービスシステムは、檀徒側端末１ａ〜１ｎと、参拝管理サーバ２と、菩提寺側端末３と、通信網４とを備える。これらのうち、檀徒側端末１ａ〜１ｎは各檀徒が有するパソコンなどの端末で、キー操作により参拝管理サーバ２が運営するホームページにアクセスし、参拝依頼情報を送信可能にするものである。この参拝依頼情報は、菩提寺名と参拝予定の日時等を含む仏事情報である。
【００２２】
また、参拝管理サーバ２は、檀徒側端末から送信された参拝依頼情報にもとづき、菩提寺および日時を指定して読経依頼を菩提寺側端末３に対して行う。なお、この参拝管理サーバ２は、参拝サービスの提供を希望する檀徒の募集を、ホームページ上で常時行っており、檀徒側からの応募により入会の希望があった場合に、新規会員として登録を認め、銀行振り込み等の登録手続きを待つ。
【００２３】
また、この登録手続きが完了すると、参拝管理サーバ２は、檀徒側端末１ａ〜１ｎに対しパスワードを発行する。また、このパスワードの発行に前後して、檀徒の氏名、年齢や、檀徒が属する菩提寺名、宗派、宗旨、墓地または納骨堂の有無などの情報の提供を受けて、これを自身が持つデータベース２ａに予め登録する。
【００２４】
前記菩提寺側端末３は、前記参拝管理サーバ２を通じて前記日時に行った読経を檀徒側端末１ａ〜１ｎへ送信するように機能する。なお、この読経は、檀徒の墓前または納骨堂で撮影された僧侶等の画像とともに檀徒側端末１ａ〜１ｎに送信される。
【００２５】
このため、菩提寺側端末３には、読経を収録するための、菩提寺側または参拝管理者側が用意するレコーダやビデオカメラ等の撮像装置３ｂが備えられる。また、この菩提寺側端末３は、檀徒の情報、つまり檀徒の氏名、故人の命日、回忌、戒名（法名）,プロフィール、趣味、生前の写真や音声などを登録したデータベース３ｃを備える。檀徒の要望に応じて、菩提寺側端末３では、前記命日や回忌に（または、これらの命日や回忌に関係なく、常時）、データベース中から選択した檀徒の各情報を、参拝管理サーバ２を通じて檀徒側端末１ａ〜１ｎへ送信可能にしている。
【００２６】
次に、本発明の参拝サービスシステムによるサービスの手順を、図３乃至図５に示すフローチャートに従って説明する。
まず、檀徒側端末１ａ〜１ｎの一つ（以下、１ａとする）を立ち上げ(ステップＳ１）、予め通信網上で検索し確認した参拝管理管理サーバ２にアクセスする(ステップＳ２）。この参拝管理サーバ２は参拝情報に関するホームページを運営しており、前記アクセスによってホームページが開かれる（ステップＳ３、４）。このホームページでは参拝依頼が初めてであるか否か質問され、初めての場合には、新規登録が画面上で促される。
【００２７】
この新規の登録では、銀行振込等の登録手続を実行する(ステップＳ５）。この登録手続を終了すると(ステップＳ６）、パスワードが交付される（ステップＳ７）。このパスワードは檀徒側端末１ａ〜１ｎに保存される(ステップＳ８）。このパスワードの交付により、前記登録手続の際に、檀徒の氏名、前記菩提寺名、宗派、墓地または納骨堂の有無などの情報を提供する。檀徒が正規の会員として登録され、以後の手続きはこのパスワードを使用して実施可能となる。
【００２８】
次に、図４に示すように、例えば、故人の命日や年忌が近くなると、檀徒は参拝管理サーバにアクセスし（ステップＳ１１、１２）、交付を受けた前記パスワードを入力して(ステップＳ１３）、参拝管理サーバが運営するホームページを出力させる(ステップＳ１４）。檀徒側端末１では、参拝依頼の特定フォームを開き、檀徒の氏名、年齢のほか、菩提寺名を入力し、参拝管理サーバ２に対し参拝依頼の入力を行う（ステップＳ１５）。
【００２９】
参拝管理サーバ２は、この参拝依頼を受けて、前記檀徒および菩提寺名、宗派などを調整し(ステップＳ１６）、その菩提寺を決定し(ステップＳ１７）、菩提寺側端末３へ読経希望の日時を指定して送信する(ステップＳ１８）。このとき、檀徒が希望する墓前や納骨堂での読経およびビデオ撮影を同時に指定する。なお、この参拝サービスシステムでは、参拝管理者は不特定多数の菩提寺との間で、各種情報や収支計算等について予め取極めをなすものとする。
【００３０】
前記指定を受けると、菩提寺側端末３では、檀徒の氏名や法名（戒名）を確認するとともに（ステップＳ１９）、墓前や納骨堂での読経およびビデオ撮影の依頼を確認し、この確認結果を参拝管理サーバ２へ通知する(ステップＳ２０）。また、この確認結果は、参拝管理サーバ２および檀徒側端末１ａで受信され（ステップＳ２１、Ｓ２２）、この確認内容は、菩提寺側端末３および参拝管理サーバ２に別途用意したメモリ（図示しない）に保存される(ステップＳ２３、２４）。なお、これらのメモリデータは、例えば参拝管理サーバ２と菩提寺側端末３との間で交わされる計算書の中にも反映される。
【００３１】
一方、前記指定した読経日になると、図５に示すように菩提寺ではビデオカメラやレコーダ等を墓前または納骨堂に用意し、前記指定の時間になると、僧侶による読経が開始される(ステップＳ３１）。この読経の収音音声や、読経の様子が撮影されたビデオ画像は、レコーダやビデオカメラ３ｂによりそれぞれ記録される（ステップＳ３２）。この記録した前記音声および画像情報は参拝管理サーバ２を通じて前記特定の檀徒側端末１ａ等へ送信される（ステップＳ３３）。なお、菩提寺側で、指定日以前にこのような音声やビデオ画像を収録したものを、前記指定の日時に檀徒側端末に送信するようにしてもよい。
【００３２】
本参拝サービスシステムを利用する場合には、前記のように、各檀徒が参拝管理サーバ２に対し、会員の登録をすることが必要であり、以後の法事では、パスワードのみの入力により、参拝管理サーバを介して自動的に菩提寺から墓前等における読経と画像送信を速やかに受けることができる。
【００３３】
このため、参拝管理サーバ２では、墓地の販売,霊園の販売時に、前記入会を促し、入会によって煩わしい登録手続きを省き、速やかに各種の法事サービスを受けられるようにする。また、このような入会の促進は、著名人が出演するテレビコマーシャルや、インターネット上で、或いは墓地や霊園の販売用パンフレットに掲載することにより、さらに効果的となる。
【００３４】
以上のように、前記他の実施の形態では、通信網４に接続されて、参拝依頼情報が送信可能な檀徒側端末１ａ〜１ｎと、該檀徒側端末１ａ〜１ｎから送信された参拝依頼情報にもとづき、菩提寺および日時を指定して読経依頼を送信する参拝管理サーバ２と、前記日時に行った読経を、参拝管理サーバ２を通して、前記檀徒側端末１ａ〜１ｎへ送信する菩提寺側端末３と、を備え、前記読経が前記檀徒の墓前または納骨堂で行われる画像とともに、前記檀徒側端末１ａ〜１ｎに送信されることで、命日、回忌、お盆、お彼岸等を迎えるに当って、参拝管理者を通して菩提寺の僧侶による読経を依頼し、その読経の様子を音声および画像にて檀徒側端末１ａ〜１ｎで看取できる。
【産業上の利用可能性】
【００３５】
本発明は、檀徒が希望する菩提寺および日時に墓前や納骨堂にて行われる読経の様子を、遠隔の地から、音声および画像により檀徒側端末上でそれぞれ聴取および看取することができ、檀徒は檀徒側端末上の画像を見ながら参拝することができるという効果を有し、檀徒が通信網を通じて提供される画像により、檀徒は居ながらにして墓参を行える参拝サービスシステムおよび参拝管理サーバ等に有用である。
【図面の簡単な説明】
【００３６】
【図１】本発明の実施形態による参拝サービスシステムを示すブロック図である。
【図２】本発明の他の実施形態による参拝サービスシステムを示すブロック図である。
【図３】本発明の他の実施形態による参拝サービスシステムによる入会登録手順を示すフローチャートである。
【図４】本発明の他の実施形態による参拝依頼手順を示すフローチャートである。
【図５】本発明の他の実施形態による読経および画像の送信手順を示すフローチャートである。
【符号の説明】
【００３７】
１ａ〜１ｎ  ユーザ側端末（檀徒側端末）
２  参拝管理サーバ
３  菩提寺側端末
４  通信網
【図１】
2007102597.tif 000003
【図２】
2007102597.tif 000004
【図３】
2007102597.tif 000005
【図４】
2007102597.tif 000006
【図５】
2007102597.tif 000007